(57)【要約】【課題】鍛錬機能と運動量を拡大する目的を達成する可変式ステップ構造を提供する。【解決手段】可変式ステップ構造は底台10中段において回転軸15上に回転ベース20を可動状に設置し、しかも回転ベース20両側には上下に踏むことができるペダル30をそれぞれ可動状に設置し、回転ベース20と底台10を制限すると、上、下に踏み込む交差ステップ運動を発生でき、しかも交差連動ユニットと底台10を制限すると、回転ベース20はペダル30の上下踏み込みの作用を受けスイングし、こうして交差斜めステップのウエストひねり運動を形成し、ステップ構造の運動形態を選択することができる。【選択図】図１３
0003173740.tif 000002
【実用新案登録請求の範囲】
【請求項１】
底台、回転ベース、２個のペダル、交差連動ユニット、切り換えユニットを備える可変式ステップ構造であって、
前記底台中段には、回転軸を備え、しかも前記底台は、前記回転軸の前方に、第一位置限定部を備え、前記底台は、前記回転軸の後方に、第二位置限定部を備え、
前記回転ベースは、ベース棒及びスタンド棒を備え、しかも前記回転ベースは、前記ベース棒後段を利用し、前記底台の回転軸上に可動状に設置し、前記回転ベースは、前記回転軸前方に、前記底台の第一位置限定部に対応する第一位置限定部を備え、前記回転ベースのベース棒前端両側には、サポート棒をそれぞれ突出して設置し、
前記２個のペダルは、それぞれ前記スタンド棒両側に可動状に設置し、しかも前記２個のペダル後端と前記回転ベースのサポート棒間には、それぞれ抵抗部品を設置し、
前記交差連動ユニットは、前記回転軸上に可動状に設置し、しかも前記交差連動ユニットは、前記両側のペダルに上、下交差連動を行わせ、前記交差連動ユニットは、前記回転軸後方に、前記底台の第二位置限定部に対応する第二位置限定部を備え、
前記切り換えユニットは、前記底台上に、固定枠を設置し、前記固定枠は、前記回転軸頂点端を可動状に接続し、しかも前記固定枠は、前記回転軸後方に、前記底台の第二位置限定部に対応する第二位置限定部を備え、前記切り換えユニットは、第二位置限定部を対応して制限する位置限定部品を備え、
これにより、違った運動形態を選択可能で、運動の楽しさを拡大できるステップ構造を構成することを特徴とする可変式ステップ構造。
【請求項２】
前記交差連動ユニットは、前記回転軸上に可動状に設置する駆動ホイールを備え、
前記駆動ホイールは、前記回転ベースの第一位置限定部に対応する位置に、回避欠口を形成し、しかも前記駆動ホイール回転軸後方に、前記底台の第二位置限定部に対応する第二位置限定部を備え、前記駆動ホイール上には、たわみ性連動部品を巻きつけて設置し、
前記たわみ性連動部品の両端は、両側の対応するペダル上にそれぞれ接続し、これにより両側のペダルは、前記駆動ホイールの回転と前記たわみ性連動部品を利用して、交差連動関係を生じることを特徴とする、請求項１に記載の可変式ステップ構造。
【請求項３】
前記交差連動ユニットは、前記回転軸上に可動状に設置する駆動板を備え、
前記駆動板回転軸後方には、前記底台の第二位置限定部に対応する第二位置限定部を備え、
前記駆動板両端には、対応するペダルに連接する連動部品をそれぞれ設置し、これにより前記両側のペダルは、前記駆動板のスイングと前記連動部品を利用して、交差連動関係を生じることを特徴とする、請求項１に記載の可変式ステップ構造。
【考案の詳細な説明】
【技術分野】
【０００１】
本考案は、可変式ステップ構造に関するものである。
【背景技術】
【０００２】
ステップマシンは、単一の運動形態だけに利用される。例えば、特許文献１に示す構造では、上、下交差ステップ運動だけを行うことができ、特許文献２に示す構造では、斜めのステップ運動だけを行うことができる。しかし、これでは、鍛錬部位が固定されてしまう。さらに、一定期間の使用後は、運動形態が単調でつまらないため、使用者の興味を持続させることができず、しかも長時間の運動を行わせることができない。こうして、全体の運動効率に悪影響を及ぼす。本考案は、従来の可変式ステップ構造の上記した欠点に鑑みてなされたものである。
【先行技術文献】
【特許文献】
【０００３】
【特許文献１】台湾特許公告第324954号公報
【特許文献２】台湾特許公告第M271593号公報
【考案の概要】
【考案が解決しようとする課題】
【０００４】
本考案が解決しようとする課題は、使用者が運動を持続でき、しかも長時間運動できるよう惹きつけることで、鍛錬機能と運動量を拡大する目的を達成する可変式ステップ構造を提供することである。
【課題を解決するための手段】
【０００５】
上記課題を解決するため、本考案は下記の可変式ステップ構造を提供する。即ち、可変式ステップ構造は、必要に応じて運動形態を選択でき、上下ステップと斜めステップウエストひねりの動作を行うことができ、身体の異なる部位を鍛錬することができる。
【考案の効果】
【０００６】
本考案の可変式ステップ構造は、使用者が運動を持続でき、しかも長時間運動できるよう惹きつけることで、鍛錬機能と運動量を拡大する目的を達成する。
【図面の簡単な説明】
【０００７】
【図１】本考案主要部品の相対関係を示す本考案の実施例１の立体分解模式図である。
【図２】本考案の局部組成模式図である。
【図３】別種の角度からの本考案の組成模式図である。
【図４】本考案のステップ運動時の側視平面切り換え図である。
【図５】本考案のステップ運動時の俯視平面図である。
【図６】本考案のステップ運動時の後視平面図である。
【図７】本考案のウエストひねり運動時の側視平面切り換え図である。
【図８】本考案のウエストひねり運動時の俯視平面図である。
【図９】本考案のウエストひねり運動時の後視平面図である。
【図１０】本考案において交差連動機構がベルトを利用して連動される様子を示す模式図である。
【図１１】本考案において交差連動機構がワイヤを利用して連動される様子を示す模式図である。
【図１２】本考案において交差連動機構がチェーンを利用して連動される様子を示す模式図である。
【図１３】本考案の実施例２の立体分解模式図である。
【図１４】本考案の実施例２の局部組成模式図である。
【図１５】本考案の実施例２の組成外観模式図である。
【図１６】本考案の実施例２のステップ運動時の側視平面切り換え図である。
【図１７】本考案の実施例２のステップ運動時の俯視平面図である。
【図１８】本考案の実施例２のステップ運動時の後視平面図である。
【図１９】本考案の実施例２のウエストひねり運動時の側視平面切り換え図である。
【図２０】本考案の実施例２のウエストひねり運動時の俯視平面図である。
【図２１】本考案の実施例２のウエストひねり運動時の後視平面図である。
【考案を実施するための形態】
【０００８】
以下に図面を参照しながら本考案を実施するための最良の形態について詳細に説明する。
【実施例１】
【０００９】
図１、２、３に示すように、ステップ構造は、底台10、回転ベース20、２個のペダル30、交差連動ユニット40、切り換えユニット50を備える。
【００１０】
底台10は、中棒11を備え、中棒11中段には、回転軸15を備える。底台10は回転軸15の前方に、第一位置限定部12を備える。第一位置限定部12は、切り換えユニット50と選択的に接合する構成部品(穿孔など)である。しかも、底台10は、回転軸15の後方に、第二位置限定部13を備える。第二位置限定部13は、切り換えユニット50と選択的に接合する構成部品(穿孔など)である。
【００１１】
回転ベース20は、水平のベース棒21を備え、しかもベース棒21前端には、上方へと延伸するスタンド棒25を備える。ベース棒21後段は、中棒11の回転軸15上に対応して可動状に設置され、しかも回転ベース20は、回転軸15前方に、第一位置限定部22を備える。第一位置限定部22は、切り換えユニット50と選択的に接合する構成部品(穿孔など)である。第一位置限定部22は、底台10の第一位置限定部12に対応し、こうして切り換えユニット50を利用し、選択的に位置限定作用を生じることができる。さらに、ベース棒21前端両側には、サポート棒24をそれぞれ突出して設置する。スタンド棒25の頂点端に近い両側には、サポート棒24と平行のピボット26を突出状に設置する。２個のピボット26は、それぞれペダル30に可動状に設置される。
【００１２】
ペダル30前端には、ピボット26に対応して可動状に接続する可動カバー31をそれぞれ設置する。各ペダル30は、前端可動カバー31上に、連動片32を下方へと突出状に設置し、これに交差連動ユニット40を可動状に接続する。両側のペダル30と回転ベース20両側との間には、抵抗部品35をそれぞれ設置する。抵抗部品35から選択することができる。伸縮可能な液圧シリンダーで、しかも抵抗部品35両端には、それぞれユニバーサルジョイント軸36を備える。これにより、抵抗部品35は、回転ベース20ベース棒21両側のサポート棒24とペダル30後端との間に可動状に設置される。
【００１３】
交差連動ユニット40は、回転軸15の回転ベース20上方に設置する。交差連動ユニット40は、回転軸15上に可動状に設置する駆動ホイール41を備える。駆動ホイール41は、タイミングベルトホイール(図１、２参照)、V型ベルトホイール(図１０参照)、プーリー(図１１参照)或いはチェーンホイール(図12参照)から選択する。しかも、駆動ホイール41は、回転ベース20第一位置限定部22に対応する位置に、回避欠口42を形成する。これにより、駆動ホイール41が回転、或いは回転ベース20がスイングする時、切り換えユニット50を避けることができる(図５、８参照)。
【００１４】
駆動ホイール41は、回転軸15後方に、第二位置限定部43を備える。第二位置限定部43は、切り換えユニット50と選択的に接合する構成部品(穿孔など)である。第二位置限定部43は、底台10の第二位置限定部13に対応し、しかも回転ベース20の後方へと突出する部分は、第二位置限定部13、43の範囲と干渉を生じない。さらに、駆動ホイール41上には、たわみ性連動部品45を巻きつけて設置する。たわみ性連動部品45は、タイミングベルト(図１、２参照)、V型ベルト(図１０参照)、ワイヤー或いはCPRDベルト(図１１参照)或いはチェーン(図１２参照)から選択する。たわみ性連動部品45両端は、それぞれ２個のペダル30連動片32上に対応して接続する。
【００１５】
切り換えユニット50は、位置限定部品55を備える。位置限定部品55は、第一位置限定部12、22或いは第二位置限定部13、43と選択的に接合する構成部品(プランジャーなど)から選択することができる。切り換えユニット50は、底台10上に、固定枠51を設置し、しかも底台10の回転軸15頂点端は、固定枠51上に設置する。固定枠51は、回転軸15後方に、底台10第二位置限定部13に対応する第二位置限定部53を形成する。第二位置限定部53は、位置限定部品55と選択的に接合及び分離する構成部品(穿孔など)から選択することができる。さらに、位置限定部品55は、対応する第二位置限定部53、43、13或いは対応する第一位置限定部22、12上に、選択的に挿入して設置される。こうして、駆動ホイール41の回転或いは回転ベース20の左右スイング運動をそれぞれ制限することができる。これにより、違った運動形態を備え、しかも運動の楽しさを拡大できるステップ構造を構成することができる。
【００１６】
実際に運動に使用する際には、図３〜６に示すように、切り換えユニット50の位置限定部品55を、回転ベース20と底台10の対応する第一位置限定部22、12内に挿入して設置する(図４参照)。こうして、回転ベース20と底台10とは、２個の接点を備え、回転ベース20の左右スイング運動を制限することができる。しかも、交差連動ユニット40の駆動ホイール41は、回転軸15と可動接続を呈するため、駆動ホイール41は、両側のペダル30はたわみ性連動部品45により連動され左右スイング運動を行うため、使用者が下方へとどちらかのペダル30を踏み込むと、力を受け踏まれたペダル30は、抵抗部品35を圧縮し抵抗を生じる。しかも、両側のペダル30は、たわみ性連動部品45と連動片32により、連動関係を生じるため、もう一方の側のペダル30は上方へと上がる。こうして、両側のペダル30は交差し上、下ステップ運動を行うことができる。
【００１７】
図７〜９に示すように、切り換えユニット50の位置限定部品55を、固定枠51、駆動板41と底台10の対応する第二位置限定部53、43、13上に挿入して設置する(図７参照)。これにより、交差連動ユニット40の駆動ホイール41と底台10との間は、回転軸15と位置限定部品55の２個の固定点を備える。こうして、駆動ホイール41の回転を制限でき、しかも回転ベース20と底台10との間は、回転軸15を利用してのみ可動接続が可能である。よって、回転ベース20は、左右スイング運動を行うことができる。
【００１８】
使用者が下方へとどちらかのペダル30を踏み込むと、力を受け踏まれたペダル30は、相対する抵抗部品35を圧縮し、抵抗を生じる。同時に、両側のペダル30は、駆動板41たわみ性連動部品45の連動を受け、もう一方の側のペダル30は上方へと上がり、回転ベース20を連動し、片側へとスイングさせる。こうして、２個のペダル30を交互に踏むと、上記とは違った運動形態の、斜めステップのウエストひねり運動を行うことができる。
【実施例２】
【００１９】
図１３、１４、１５に示す本考案の実施例２では、交差連動ユニット60は、駆動板61及び２個の連動部品65を備える。駆動板61は、回転軸15上に対応して可動状に設置し、しかも駆動板61回転軸15後方に、第二位置限定部63を備える。第二位置限定部63は、位置限定部品55と選択的に接合する構成部品(穿孔など)を選択することができる。第二位置限定部63は、底台10の第二位置限定部13に、選択的に対応する。しかも、駆動板61両端には、連動部品65をそれぞれ可動状に設置する。２個の連動部品65は、鋼性の連棒を選択することができる。しかも、２個の連動部品65の他方端は、それぞれ対応するペダル30連動片32上に可動状に設置する。これにより、交差連動ユニット60の駆動板61が左右にスイングすると、連動部品65を通して、対応するペダル30を同期に押し引きし、こうして両側のペダル30は交差連動関係を生じる。
【００２０】
これにより、位置限定部品55を回転ベース20と底台10の対応する第一位置限定部22、12に挿入して設置すると、回転ベース20の左右スイング運動を制限することができる。こうして、交差連動ユニット60の駆動板61は、底台10に対応してスイング運動し、両側のペダル30は上下ステップ運動を生じる(図１６、１７、１８参照)。切り換えユニット50の位置限定部品55を、固定枠51、駆動板61と底台10の対応する第二位置限定部53、63、13に挿入して設置すると、駆動板61の左右スイング運動を制限できる。こうして、回転ベース20は、底台10に相対し左右スイングを行い、ウエストひねりステップ運動を形成することができる(図１９、２０、２１参照)。
【００２１】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２２】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２３】
10：底台、11：中棒、12：第一位置限定部、13：第二位置限定部、15：回転軸、20：回転ベース、21：ベース棒、22：第一位置限定部、24：サポート棒、25：スタンド棒、26：ピボット、30：ペダル、31：可動カバー、32：連動片、35：抵抗部品、36：ユニバーサルジョイント軸、40：交差連動ユニット、41：駆動ホイール、42：回避欠口、43：第二位置限定部、45：たわみ性連動部品、50：切り換えユニット、51：固定枠、53：第二位置限定部、55  位置限定部品、60  交差連動ユニット、61  駆動板、63  第二位置限定部、65：連動部品。
【図１】
0003173740.tif 000003
【図２】
0003173740.tif 000004
【図３】
0003173740.tif 000005
【図４】
0003173740.tif 000006
【図５】
0003173740.tif 000007
【図６】
0003173740.tif 000008
【図７】
0003173740.tif 000009
【図８】
0003173740.tif 000010
【図９】
0003173740.tif 000011
【図１０】
0003173740.tif 000012
【図１１】
0003173740.tif 000013
【図１２】
0003173740.tif 000014
【図１３】
0003173740.tif 000015
【図１４】
0003173740.tif 000016
【図１５】
0003173740.tif 000017
【図１６】
0003173740.tif 000018
【図１７】
0003173740.tif 000019
【図１８】
0003173740.tif 000020
【図１９】
0003173740.tif 000021
【図２０】
0003173740.tif 000022
【図２１】
0003173740.tif 000023